(57)【要約】【課題】ベッドの形状が異なった立ち上がり部にディスプレイ支持装置支持用の支持ピンを固定することができるベッド用支持ピン固定装置を提供する。【解決手段】ディスプレイ支持装置Ｐを連結せしめる支持ピン１１をクランプ部１２に設ける。立ち上がり部Ｑの上部にクランプ部１２を固定する。クランプ部１２から固定板１３を形成して固定基盤１０を構成する。固定基盤１０に連結され長さ調整自在に設けられた一対の支持アーム２０を設ける。各支持アーム２０の下端部側に係止板体３０を設ける。係止板体３０が立ち上がり部Ｑの下側縁部に沿って移動するように構成する。【選択図】  図１
2019056868.tif 000002
【特許請求の範囲】
【請求項１】
支持アームを備えたディスプレイ支持装置用の支持ピンをベッドの立ち上がり部に固定する固定装置であって、
前記ディスプレイ支持装置を連結する支持ピンを備え前記立ち上がり部の上部に固定するクランプ部と該クランプ部から前記立ち上がり部の外側に沿って延長される固定板とで構成される固定基盤と、
該固定基盤に連結され長さ調整自在に設けられた左右一対の支持アームと、
各支持アームの下端部側に装着され前記立ち上がり部の内側に係止する係止板体と、を備え、
固定基盤に各支持アームを揺動自在に連結し、係止板体の係止位置が立ち上がり部の下側縁部に沿って左右に移動するように構成したことを特徴とするベッド用支持ピン固定装置。
【請求項２】
前記立ち上がり部の内側に係止する係止部と、前記立ち上がり部の外側に押圧する固定ねじ体とで前記立ち上がり部に固定するように構成した請求項１記載のベッド用支持ピン固定装置。
【請求項３】
前記係止板体は横長の楕円形状を成し、前記支持アームの揺動に伴って前記立ち上がり部の内側に係止する前記係止板体の当接面積を調整するように構成した請求項１記載のベッド用支持ピン固定装置。
【請求項４】
前記固定板の板面に、上下に伸びたスライド溝部を左右に一対形成し、該スライド溝部に沿って前記支持アームを上下スライド自在に連結するように構成した請求項１記載のベッド用支持ピン固定装置。
【請求項５】
前記支持アームの上部に固定ボルトを設け、該固定ボルトを前記固定板の外側から前記スライド溝部に挿通すると共に、スライド溝部の内側に板ナットを装着し、左右の支持アームの固定ボルト相互をこの板ナットで連結した請求項４記載のベッド用支持ピン固定装置。
【発明の詳細な説明】
【技術分野】
【０００１】
本発明は、支持アームを備えたディスプレイ支持装置を連結する支持ピンをベッドのヘッドフレーム等に固定することができるベッド用支持ピン固定装置に関する。
【背景技術】
【０００２】
当出願人は先に、特許文献１に記載のユニット型ディスプレイ支持装置を提案している。この支持装置は、ユニット化された支持アームを連結体で自由に連結すると共に、被取付け部に装着した支持ピンに着脱自在に固定することによって、病院などの特殊な環境に合わせて使用態様を自由に変更しながら薄型ディスプレイを支持するように構成した装置である。
【０００３】
一方、病棟用ベッドのフットフレームにテレビ台を固定する固定具が特許文献２に記載されている。この固定具は、ベッドのフレームに２本の支柱を固定し、この支柱にテレビ台を固定する構造である。
【先行技術文献】
【特許文献】
【０００４】
【特許文献１】特許第３９０３３１１号公報
【特許文献２】実用新案登録第３０８０４７４号公報
【発明の概要】
【発明が解決しようとする課題】
【０００５】
特許文献１に記載のディスプレイ支持装置により、病院などの特殊な環境に合わせて薄型ディスプレイを支持ピンに支持することは可能になっているが、この支持ピンをベッドのヘッドフレーム等に直接装着することは極めて困難であった。
【０００６】
すなわち、病棟用のベッドや介護ベッドなどでは、ヘッドフレームにアーチ状のデザインが施されたベッドや、ヘッドボードを備えたベッドも多く使用されるようになっている。このことから、最近ではベッドの立ち上がり部の形状が異なることが多い。
【０００７】
このように多様性に富んだベッドの立ち上り部にディスプレイ支持装置用の支持ピンを固定するには、例えばヘッドフレームの上端部と下端部とに固定金具を装着して支持ピンを固定する必要がある。ところが、アーチ状のデザインが施されているヘッドフレームに支持ピンを固定すると、この支持ピンがアーチに沿って傾くおそれがあり、支持ピンに連結したディスプレイ支持装置が不安定になる不都合が生じる。
【０００８】
一方、特許文献２に記載の固定具では、ベッドの立ち上がり部にテレビを載置するテレビ台を固定する構造なので、ベッドの立ち上がり部からベッドの内側に向けてテレビ台が突出することになる。したがって、ベッドのスペースをテレビ台が広く占有するため、ベッドの使用が窮屈になる不都合が生じる。
【０００９】
しかも、特許文献２の固定具は、Ｕ型止め具をベッドのフレームに係止する構造であるから、ベッドの立ち上がり部がヘッドフレームからヘッドボードに変更されたり、ヘッドボードの形状が変更されたりすると使用できなくなる不都合もあった。
【００１０】
このように、形状が異なった立ち上がり部に、ディスプレイ支持装置を支持する支持ピンを装着することは、従来の固定具等では極めて困難になっていた。
【００１１】
そこで、本発明は上述の課題を解消すべく創出されたもので、形状が異なった立ち上がり部にディスプレイ支持装置用の支持ピンを固定することができるベッド用支持ピン固定装置の提供を目的とするものである。
【課題を解決するための手段】
【００１２】
上述の目的を達成すべく本発明における第１の手段は、支持アームＰ１を備えたディスプレイ支持装置Ｐ用の支持ピン１１をベッドの立ち上がり部Ｑに固定する固定装置であって、
前記ディスプレイ支持装置Ｐを連結する支持ピン１１を備え前記立ち上がり部Ｑの上部に固定するクランプ部１２と該クランプ部１２から前記立ち上がり部Ｑの外側に沿って延長される固定板１３とで構成される固定基盤１０と、
該固定基盤１０に連結され長さ調整自在に設けられた左右一対の支持アーム２０と、
各支持アーム２０の下端部側に装着され前記立ち上がり部Ｑの内側に係止する係止板体３０と、を備え、
固定基盤１０に各支持アーム２０を揺動自在に連結し、係止板体３０の係止位置が立ち上がり部Ｑの下側縁部に沿って左右に移動するように構成したことにある。
【００１３】
第２の手段の前記クランプ部１２は、前記立ち上がり部Ｑの内側に係止する係止部１２Ａと、前記立ち上がり部Ｑの外側に押圧する固定ねじ体１２Ｂとで前記立ち上がり部Ｑに固定するように構成したものである。
【００１４】
第３の手段は、前記係止板体３０は横長の楕円形状を成し、前記支持アーム２０の揺動に伴って前記立ち上がり部Ｑの内側に係止する前記係止板体３０の当接面積を調整するように構成している。
【００１５】
第４の手段は、前記固定板１３の板面に、上下に伸びたスライド溝部１３Ａを左右に一対形成し、該スライド溝部１３Ａに沿って前記支持アーム２０を上下スライド自在に連結するように構成したものである。
【００１６】
第５の手段は、前記支持アーム２０の上部に固定ボルト２１を設け、該固定ボルト２１を前記固定板１３の外側から前記スライド溝部１３Ａに挿通すると共に、スライド溝部１３Ａの内側に板ナット２２を装着し、左右の支持アーム２０の固定ボルト２１相互をこの板ナット２２で連結している。
【発明の効果】
【００１７】
請求項１のように、支持ピン１１を備えた固定基盤１０に各支持アーム２０を揺動自在に連結し、各支持アーム２０に装着した係止板体３０の係止位置が立ち上がり部Ｑの下側縁部に沿って左右に移動するように構成したことにより、支持ピン１１を備えたクランプ部１２をベッドの立ち上がり部Ｑの上部に固定すると共に、該立ち上がり部Ｑの下部に各支持アーム２０と係止板体３０とで固定することができる。この結果、支持ピン１１を備えたクランプ部１２を三点支持で固定する構造になり、たとえ立ち上がり部Ｑの上端部にアーチ状の屈曲部分が形成されていても、常に安定した状態で固定することができる。
【００１８】
請求項２のごとく、クランプ部１２は、立ち上がり部Ｑの内側に係止する係止部１２Ａと、立ち上がり部Ｑの外側に押圧する固定ねじ体１２Ｂとを備えているので、固定板１３を備えた固定基盤１０をコンパクトに固定することができる。したがって、従来のＴＶ固定具のようにベッドの周囲に大きく突出する構成は必要とせず、ディスプレイ支持装置Ｐ用の支持ピン１１を立ち上がり部Ｑにコンパクトに固定することが可能になる。
【００１９】
請求項３のごとく、係止板体３０は横長の楕円形状を成し、支持アーム２０の揺動に伴って前記立ち上がり部Ｑの内側に係止する係止板体３０の当接面積を調整するように構成したことで、係止板体３０の係止位置に適した係止力を選択することができる。この結果、立ち上がり部Ｑがどのような形状やサイズであっても、この立ち上がり部Ｑに対応して最適な固定力を得ることができる。
【００２０】
請求項４のように、固定板１３の板面に、上下に伸びたスライド溝部１３Ａを左右に一対形成し、該スライド溝部１３Ａに沿って前記支持アーム２０を上下スライド自在に連結するように構成したことで、支持アーム２０の高さと角度とを調整することが可能になる。この結果、立ち上がり部Ｑの形状やサイズに対応して支持アーム２０の位置を任意に変更することができる。したがって、立ち上がり部Ｑの形状が異なった場合でも、ディスプレイ支持装置Ｐ用の支持ピン１１を立ち上がり部Ｑに確実に固定することが可能になる。
【００２１】
請求項５のように、支持アーム２０の上部に固定ボルト２１を設け、該固定ボルト２１を前記固定板１３の外側から前記スライド溝部１３Ａに挿通すると共に、スライド溝部１３Ａの内側に板ナット２２を装着し、左右の支持アーム２０の固定ボルト２１相互をこの板ナット２２で連結することで、支持アーム２０相互の固定力を高めると共に、支持アーム２０と固定板１３との固定力を高めることができる。しかも、左右の支持アーム２０の高さを同時に調整することも可能になる。
【図面の簡単な説明】
【００２２】
【図１】本発明の一実施例を示す使用状態の斜視図である。
【図２】本発明の一実施例を示す斜視図である。
【図３】本発明の一実施例を示す側断面図である。
【図４】図３に示す矢視IV-IV線断面図である。
【図５】本発明支持アームの動きを示す正面図である。
【図６】本発明係止板体の使用状態を示す正面図である。
【図７】本発明の他の使用状態を示す正面図である。
【図８】（イ）、（ロ）は、本発明支持アームの他の実施例を示す要部側面図である。
【発明を実施するための形態】
【００２３】
本発明固定装置は、ＴＶやモニター等を支持するディスプレイ支持装置Ｐを連結する支持ピン１１をベッドの立ち上がり部Ｑに固定する固定装置である（図１参照）。ディスプレイ支持装置Ｐとは、複数の支持アームＰ１を屈曲自在に連結し、この支持アームＰ１の基端部を被固定部に予め固定している支持ピン１１に着脱自在に連結する構造を成し、支持アームＰ１の先端部にＴＶやモニター等を支持する装置である。
【００２４】
また、ベッドの立ち上がり部Ｑとは、ヘッドフレームやヘッドボード等を総称するものである。例えば、ベッドの枕側のヘッドフレームやヘッドボード、あるいは足側のフットフレームやフットボード、更に左右のサイドフレームなどを総称し、本発明ではこれらをベッドの立ち上がり部Ｑと称する。
【００２５】
本発明固定装置の主要構成は、支持ピン１１を備えたクランプ部１２及び固定板１３を設けた固定基盤１０と、左右一対の支持アーム２０と、各支持アーム２０に装着された係止板体３０とを備えたものである（図２参照）。
【００２６】
固定基盤１０のクランプ部１２は、支持ピン１１を備えた部位で、立ち上がり部Ｑの上部に固定する構造を成している（図１参照）。図示のクランプ部１２は、側面略倒コ字状を成し、立ち上がり部Ｑの内側に係止する係止部１２Ａと、立ち上がり部Ｑの外側に押圧する固定ねじ体１２Ｂとを備えている（図３参照）。このクランプ部１２には、支持ピン１１を固定する固定ねじ１２Ｃを設けている。そして、支持ピン１１の基台１１Ａをこの固定ねじ１２Ｃでクランプ部１２の上面部に固定する（図２参照）。
【００２７】
この支持ピン１１にディスプレイ支持装置Ｐを連結する（図１参照）。複数の支持アームＰ１を連結したディスプレイ支持装置Ｐの基端部には、連結端部Ｐ２が設けられており、この連結端部Ｐ２を支持ピン１１に着脱自在に連結するものである。図示例では、支持ピン１１の周囲に回転規制盤１１Ｂを配置している。この回転規制盤１１Ｂは、連結端部Ｐ２の回転を１８０度以内に制限する構成を成し、支持ピン１１に連結したディスプレイ支持装置Ｐが後向きに方向に回転しないように規制している。
【００２８】
図示例において、クランプ部１２の係止部１２Ａは、立ち上がり部Ｑの内側に係止する面に保護プレート１２Ａａを設けている（図３参照）。この保護プレート１２Ａａの使用の有無は選択することができる。図示の固定ねじ体１２Ｂは、押圧パッド１２Ｂａと回転ノブ１２Ｂｂを備えている（図４参照）。そして、この押圧パッド１２Ｂａを立ち上がり部Ｑの外側に押圧するように構成している（図１参照）。
【００２９】
固定板１３は、クランプ部１２から立ち上がり部Ｑの外側に沿って延長された板状の部位を示す（図１参照）。図示例では、この固定板１３の板面に、上下に伸びたスライド溝部１３Ａを左右に一対形成している。このスライド溝部１３Ａは、固定板１３に連結する支持アーム２０を上下スライド自在に連結するように構成している（図２参照）。
【００３０】
支持アーム２０は、固定基盤１０に連結される左右一対の棒状部材で、高さと角度の調整ができるように構成している。すなわち、支持アーム２０の上部に固定ボルト２１を設け、この固定ボルト２１を固定板１３のスライド溝部１３Ａに挿通して固定板１３に連結している（図１参照）。支持アーム２０の連結手段として、図示例では、スライド溝部１３Ａの内側に板ナット２２を装着し、左右の支持アーム２０の上部に固定した固定ボルト２１相互をこの板ナット２２で連結している（図２参照）。尚、図示の固定ボルト２１は六角穴付きボルトを使用し、直接板ナット２２には、予め固定ボルト２１をネジ止めする雌ネジを設けている。このように、支持アーム２０の上端部相互を板ナット２２で連結することで、左右の支持アーム２０の高さを同時に調整することができる。
【００３１】
図示例では、更に、固定板１３に板ナット２２をスライド自在に固定する補助溝部１３Ｂと補助連結ネジ２３とを備えている（図２参照）。補助溝部１３Ｂはスライド溝部１３Ａの間に設けられ、補助連結ネジ２３は固定板１３と板ナット２２とをネジ止めするものである。このように、補助連結ネジ２３で板ナット２２を固定板１３に固定することで、支持アーム２０相互の固定力をより高めることができる。尚、直接板ナット２２には、予め補助連結ネジ２３をネジ止めする雌ネジが設けられている。
【００３２】
図示の支持アーム２０は、断面Ｌ字状の長尺部材が使用されている（図１参照）。この支持アーム２０の形状は、この他、支持アーム２０の下端部を立ち上がり部Ｑ側に屈曲することも可能である（図８（イ）参照）。また、支持アーム２０の他の形状として、帯板状の長尺部材の下端部を立ち上がり部Ｑ側に屈曲した支持アーム２０の使用も可能である（図８（ロ）参照）。
【００３３】
係止板体３０は、支持アーム２０の下端部に装着する係止部材である（図６、７参照）。この係止板体３０は、各支持アーム２０の下端部側に装着される横長楕円状の部材で、立ち上がり部Ｑの内側に係止する（図３参照）。この係止板体３０は支持アーム２０の下端部に連結されるので、立ち上がり部Ｑの下側縁に沿って左右に移動する場合は、各支持アーム２０の固定位置が調整用長孔２２に沿って移動することになる（図６参照）。
【００３４】
図示の係止板体３０は、支持アーム２０の下端部に連結した連結軸３１に揺動自在に装着したもので、支持アーム２０の位置に合わせて楕円形の係止板体３０の位置を調整するものである（図２参照）。図示例では、連結ボルト３１Ａに連結筒３１Ｂを装着した連結軸３１にて係止板体３０を支持するものである（図３参照）。
【００３５】
更に、この係止板体３０は、支持アーム２０側から立ち上がり部Ｑの外側に押圧する固定ねじ体３２と組み合わせて使用する（図３参照）。この固定ねじ体３２は、ネジ部材の両端に押圧パッド３２Ａと回転ノブ３２Ｂとを設けたもので、回転ノブ３２Ｂの回転操作で立ち上がり部Ｑの外側に押圧パッド３２Ａを押圧するように構成している。この結果、立ち上がり部Ｑの内側に係止板体３０が係止し、係止板体３０の外側を押圧パッド３２Ａが押圧して立ち上がり部Ｑに固定するものである。
【００３６】
本発明の支持アーム２０は、固定基盤１０の固定板１３に対して高さ調整自在に連結され、且つ角度調整自在に連結されている（図５参照）。そのため、支持アーム２０の位置を自由に変更することで、立ち上がり部Ｑの形状やサイズに適応させることが可能になるものである。
【００３７】
例えば、立ち上がり部Ｑの上部がアーチ形状を成している場合は、支持アーム２０を左右に開いた状態で、立ち上がり部Ｑの下部に係止板体３０を固定する（図６参照）。また、立ち上がり部Ｑの上部が直線状を成している場合は、左右の支持アーム２０を閉じた状態で、立ち上がり部Ｑの下部に係止板体３０を固定する（図７参照）。
【００３８】
このように支持アーム２０の高さや左右の開き具合を調整することで、立ち上がり部Ｑのどのような形状にも対応が可能になり、ディスプレイ支持装置Ｐ用の支持ピン１１を確実に固定することができるものである。
【００３９】
尚、本発明の構成は図示例に限定されるものではなく、本発明の要旨を変更しない範囲で自由に設計変更することができる。
【符号の説明】
【００４０】
Ｐ  ディスプレイ支持装置
Ｐ１  支持アーム
Ｐ２  連結端部
Ｑ  立ち上がり部
１０  固定基盤
１１  支持ピン
１２  クランプ部
１２Ａ  係止部
１２Ａａ  保護プレート
１２Ｂ  固定ねじ体
１２Ｂａ  押圧パッド
１２Ｂｂ  回転ノブ
１２Ｃ  固定ねじ
１３  固定板
１３Ａ  スライド溝部
１３Ｂ  補助溝部
２０  支持アーム
２１  固定ボルト
２２  板ナット
２３  補助連結ネジ
３０  係止板体
３１  連結軸
３１Ａ  連結ボルト
３１Ｂ  連結筒
３２  固定ねじ体
３２Ａ  押圧パッド
３２Ｂ  回転ノブ
【図１】
2019056868.tif 000003
【図２】
2019056868.tif 000004
【図３】
2019056868.tif 000005
【図４】
2019056868.tif 000006
【図５】
2019056868.tif 000007
【図６】
2019056868.tif 000008
【図７】
2019056868.tif 000009
【図８】
2019056868.tif 000010